(57)【要約】      （修正有）【課題】嵩張らずしかも着心地の良い腋パッド付き肌着を提供する。【解決手段】腋パッド付き肌着Ａは、バストの下の鳩尾部分を覆う前身頃１、背中を覆う後身頃２、前身頃１の上端３と後身頃２の上端４とを繋ぐ肩ひも５及び腋パッド１０とで構成されている。腋パッド１０は、二重折りにて形成され、前身頃１と後身頃２の脇の縫着部分６の袖刳り部分７に沿って二重折り部分１０ａが配設されると共に腋パッド１０の二重折り部分１０ａ以外の外周部分１０ｂが前身頃１と後身頃２の側面に縫着されている。【選択図】図１
0003185322.tif 000002
【実用新案登録請求の範囲】
【請求項１】
バストの下の鳩尾部分を覆う前身頃、背中を覆う後身頃、前身頃の上端と後身頃の上端とを繋ぐ肩ひも及び腋パッドとで構成され、
腋パッドは、二重折りにて形成され、前身頃と後身頃の脇の縫着部分の袖刳り部分に沿って二重折り部分が配設されると共に腋パッドの二重折り部分以外の外周部分が前身頃と後身頃の側面に縫着されていることを特徴とする腋パッド付き肌着。
【請求項２】
腋パッドの二重折り部分は凹Ｖ形に形成されていることを特徴とする請求項１に記載の腋パッド付き肌着。
【請求項３】
凹Ｖ形の二重折り部分から反対側の外周部分に至る中央部分が、肌着本体を構成する前身頃と後見頃の縫着部分に重ねて縫着されていることを特徴とする請求項１又は２に記載の腋パッド付き肌着。
【請求項４】
腋パッドの伸縮方向は凹Ｖ形の二重折り部分の各辺に平行な方向であることを特徴とする請求項１〜３のいずれかに記載の腋パッド付き肌着。
【考案の詳細な説明】
【技術分野】
【０００１】
本考案は、脇の下の汗を吸収する腋パッドが装着された腋パッド付き肌着に関する。
【背景技術】
【０００２】
夏場に外出すると大量の汗をかくが、脇から出た汗は下着を通り越して上着の脇に染み出し、これが外から見えるだけでなく上着を傷める。そこで、特許文献１に示すように、前記前身頃の両側上部が前記ネック部の側へ移動してしわになることを防止するための帯状のズレ防止部を、肌着の袖刳りの周囲に設け、更に、このズレ防止部に腋パッドを縫着することで、脇から出た汗を吸収し、汗が上着の脇から染み出ることを防止するものが提案された。
【０００３】
ズレ防止部は、伸縮力が強いストレッチ素材からなる帯状の伸縮部材で構成され、袖刳りに沿って下側を迂回するように配置され、端部が前身頃及び後身頃に縫着されており、このズレ防止部に略円形状シートを半分に折り畳んだ腋パッドの折り畳み縁が縫着されている。この腋パッドとしては、吸水性及び乾燥性が優れた市販の汗腋パッドをズレ防止部に貼着してもよく、折り畳んだ腋パッドの内部に吸水性及び乾燥性が優れたパッド材を縫製してもよい。この結果、汗が上着の脇から染み出ず、見苦しさを解消することができるだけではなく、着用者の腋の下に伸縮部材の縁が当たることを防止できるため、着用感も向上させることができたとしている。
【先行技術文献】
【特許文献】
【０００４】
【特許文献１】特開２０１２−１８４５３４
【考案の概要】
【考案が解決しようとする課題】
【０００５】
しかしながら、この提案は帯状のズレ防止部に市販の汗腋パッドを貼着した場合、腋の下に挟まれる市販の汗腋パッドの貼着部分が腋の下に接触し、ゴワゴワして着心地を損なう。また、吸水性及び乾燥性が優れたパッド材を縫着すると縫着ラインがやはり腋の下に接触し、ゴワゴワして着心地を損なう。
【０００６】
本考案はこのような従来例の問題点にかんがみてなされたもので、嵩張らずしかも着心地の良い腋パッド付き肌着を提供するにある。
【課題を解決するための手段】
【０００７】
請求項１に記載した腋パッド付き肌着Ａは、バストＢの下の鳩尾部分を覆う前身頃１、背中を覆う後身頃２、前身頃１の上端３と後身頃２の上端４とを繋ぐ肩ひも５及び腋パッド１０とで構成され、
腋パッド１０は、二重折りにて形成され、前身頃１と後身頃２の脇の縫着部分６の袖刳り部分７に沿って二重折り部分１０ａが配設されると共に腋パッド１０の二重折り部分１０ａ以外の外周部分１０ｂが前身頃１と後身頃２の側面に縫着されていることを特徴とする。
【０００８】
請求項２に記載の腋パッド付き肌着Ａの腋パッド１０の二重折り部分１０ａは凹Ｖ形に形成されていることを特徴とする。
【０００９】
請求項３に記載の腋パッド付き肌着の腋パッドＡは、凹Ｖ形の二重折り部分１０ａから反対側の外周部分１０ｂに至る中央部分１０ｄが、肌着本体ａを構成する前身頃１と後身頃２の縫着部分６に重ねて縫着されていることを特徴とする。
【００１０】
請求項４に記載の腋パッド１０の伸縮方向は凹Ｖ形の二重折り部分１０ａの各辺１０ｃに平行な方向であることを特徴とする。
【考案の効果】
【００１１】
本発明の腋パッド付き肌着Ａの腋パッド１０は、袖刳り部分７に沿って二重折りにて配設されているので、腋の下に触れるのは二重折り部分１０ａであり、更に、二重折り部分１０ａは、袖刳り部分７に合わせて凹Ｖ形に形成されているので、腋に対するあたりが非常にソフトに当たるだけでなく、腋全体に沿って配設されて腋からの汗を完全に吸収する。それ故、腋パッド付き肌着Ａを着用しても、着心地を損ねることはないし、染みが出る恐れもない。
【００１２】
また、腋パッド１０は、凹Ｖ形の二重折り部分１０ａの反対側の外周部分１０ｂを肌着本体ａに縫着しているので、肌着本体ａに一体化し、どのように動いても、腋パッド１０がずれるようなことはない。加えて、凹Ｖ形の二重折り部分１０ａから反対側の外周部分１０ｂに至る中心部分を肌着本体ａの縫着部分６に縫着しておけば、ズレを防止してより一体感が増す。
【００１３】
しかも、二重折り部分１０ａは肌着本体ａに縫着されていないので、肌着本体ａとの間がポケットＰになり、必要に応じて汗取り布や紙を挟み込むことができる。そして腋パッド１０の伸縮方向は凹Ｖ形の二重折り部分１０ａの各辺１０ｃに平行な方向であるので、肌着本体ａの伸縮方向と一致せず、体の動きに合わせて腋パッド１０や肌着本体ａがそれぞれ伸び、着用者の動きを拘束することはなく、動き易さを実現する。
【図面の簡単な説明】
【００１４】
【図１】本発明にかかる腋パッド付き肌着の斜視図である。
【図２】図１の脇部分の拡大断面斜視図である。
【図３】図２の脇部分を内側から見た部分拡大図である。
【図４】腋パッドの半体の正面図である。
【図５】縫着一体化前の一対の腋パッド半体の斜視図である。
【考案を実施するための形態】
【００１５】
以下、本発明の実施の形態を図面に従って説明する。腋パッド付き肌着Ａは、バストＢの下の鳩尾部分を覆う前身頃１、背中を覆う後身頃２、前身頃１の上端３と後身頃２の上端４とを繋ぐ肩ひも５及び左右一対の腋パッド１０とで構成されている。前身頃１と後身頃２は縦方向及び横方向が同じ程度に伸びる、例えばスパンデックスのようなメッシュ生地が使用されているが、前身頃１の上辺１ａは、大きくバストＢの下までＵ字状にえぐられており、前身頃１のバストＢの下の部分である腹部被覆部１ｂの上下幅は細いため、縦方向より横方向の方が大きく伸びる構造となっている。後身頃２の上辺２ａは、浅くえぐられているため、後身頃２の縦方向の幅は前身頃１に比べて３倍程度の長さがあるため、前述のように縦方向は前身頃１よりよく伸びる。ただし、横幅よりは狭いので、縦方向の伸びは横方向の伸びより小さい。
【００１６】
前身頃１と後身頃２は、両脇で全長にわたって縫着されており、肩ひも５は、前身頃１と後身頃２の上端３、４に縫着されている。前身頃１と後身頃２とが縫着されている脇の袖刳り部分７は、腕に合わせてＵ形にえぐられている。前身頃１と後身頃２の上辺１ａ、２ａには、長手方向に対して伸縮性に富むテープ１５が縫着され、下辺１ｃは折り返されて縫着されている。なお、肩ひも５はある程度長手方向で伸縮性に富む部材で構成されており、調整リング１２で長さを調整するようになっている。
【００１７】
腋パッド１０は、縦横とも同じ伸びを示す伸縮性に富む、前述のスパンデックスのようなメッシュ生地を使用しており、２つのハート型の腋パッド半体１１を二つ折りにして扇状にし、重ね合わせた直線の辺１１ａ同士を縫着して形成したハート型のものである。腋パッド１０の前後の二重折り辺１０ｃは、図３に示すように、ハート型の凹Ｖ部分を構成する。この腋パッド１０は、肌着本体ａの縫着部分６の袖刳り部分７に配設され、その外周部分１０ｂの全長が肌着本体ａに縫着され、肌着本体ａとの間にポケットＰを構成する。
【００１８】
更に腋パッド１０の二重折り部分１０ａから外周部分１０ｂに至る中央部分１０ｄが肌着本体ａの縫着部分６に重ねて縫着され、肌着本体ａとの間にて縫着部分６の前後に一対のポケットＰを構成する。従って、このポケットＰに吸湿性に優れた薄い布や紙などを収納することができる。勿論、前記中央部分１０ｄを肌着本体ａの縫着部分６に縫着せず、腋パッド１０全体を１つのポケットＰとしてもよい。
【００１９】
なお、腋パッド１０の伸縮方向は、図３に示すように、凹Ｖ形の二重折り部分１０ａの各辺１０ｃに平行な方向及びこれに直角な方向で、肌着本体ａの伸縮方向に対して傾斜している。
【００２０】
この腋パッド付き肌着Ａを着ると、前身頃１の上辺１ａのテープ１５がバストＢの下のバージスラインに沿い、バストＢを下から上に持ち上げる働きをすると同時に前身頃１と後身頃２は体に沿って伸び、胴回りを引き締める。そして、腋パッド１０は丁度、腋の下に一致して挟み込まれ、腋からの汗を吸い取る。前述のポケットＰに吸湿性に優れた薄い布や紙などを収納しておけば、更に効果的に汗を吸い取ることになり、使用後は新しいものに交換すればよい。腋パッド付き肌着Ａは全体的に伸縮性に優れたメッシュ地であるから、通気性に優れ且つ体の動きに合わせて伸縮するため着心地を損なわないし、腋の下に挟まれる部分は腋パッド１０の二重折り部分１０ａとなっているので、肌にソフトにフィットし違和感を与えない。しかも、下縁の外周部分１０ｂ、更には中央部分１０ｄとが縫着されているので、肌着本体ａと一体化してどのように動いても腋パッド１０がずれたりするようなことがない。
【符号の説明】
【００２１】
Ａ：腋パッド付き肌着，ａ：肌着本体，Ｐ：ポケット，１：前身頃，１ａ：上辺，１ｂ：腹部被覆部，１ｃ：下辺，２：後身頃，２ａ：上辺，３：前身頃の上端，４：後身頃の上端，５：肩ひも，６：縫着部分，７：袖刳り部分，１０：腋パッド，１０ａ：二重折り部分，１０ｂ：外周部分，１０ｃ：辺，１０ｄ：中央部分，１１：腋パッド半体，１１ａ：直線の辺，１２：調整リング，１５：テープ。
【図１】
0003185322.tif 000003
【図２】
0003185322.tif 000004
【図３】
0003185322.tif 000005
【図４】
0003185322.tif 000006
【図５】
0003185322.tif 000007